(57)【要約】      （修正有）【課題】  発熱のとき、前頭部、後頭部、頚椎上部、頚椎部の4箇所を固定し、確実に局部を解熱させる頭部用冷却具を提供する。【解決手段】  前頭部にあたる位置に設けた前頭部収納ポケット５ａと、該前頭部収納ポケットにバンド部２で接続し、後頭部にあたる位置に設けた後頭部収納ポケット５ｂと、該後頭部収納ポケットに連結手段にて連結した頚椎上部にあたる位置に設けた頚椎上部収納ポケット５Ｃと該頚椎上部収納ポケットに連結手段にて連結した頚椎部にあたる位置に設けた頚椎部収納ポケット５Ｄと頚椎部収納ポケットを首に係止する係止バンド４で構成し、各収納ポケットは挿入口６を斜めにしたことが特徴とした保冷具を収納するものである頭部用冷却具。【選択図】  図１
2008104694.tif 000002
【特許請求の範囲】
【請求項１】
前頭部にあたる位置に設けた前頭部収納ポケットと、該前頭部収納ポケットにバンド部で接続し、後頭部にあたる位置に設けた後頭部収納ポケットと、該後頭部収納ポケットに連結手段にて連結した頚椎上部にあたる位置に設けた頚椎上部収納ポケットと該頚椎上部収納ポケットに連結手段にて連結した頚椎部にあたる位置に設けた頚椎部収納ポケットと頚椎部収納ポケットを首に係止する係止バンドで構成し、各収納ポケットは挿入口を斜めにしたことが特徴とした保冷具を収納するものである頭部用冷却具。
【請求項２】
前頭部にあたる位置に設けた前頭部収納ポケットと、該前頭部収納ポケットにバンド部で接続し、後頭部にあたる位置に設けた後頭部収納ポケットと、該後頭部収納ポケットに連結手段にて連結した頚椎部にあたる位置に設けた頚椎部収納ポケットと頚椎部収納ポケットを首に係止する係止バンドとより構成し、各収納ポケットは挿入口を斜めにしたことが特徴とした保冷具を収納する頭部用冷却具。
【発明の詳細な説明】
【技術分野】
【０００１】
本発明は、発熱や疲労、入浴または夏の寝苦しいとき、前頭部、後頭部、頚椎上部、頚
椎部の4箇所を固定することにより、確実に局部を解熱させることや冷却ポイントを選択できる構造のため、最大１０通りの使い方ができる冷却具に関するものである。
【背景技術】
【０００２】
従来、前頭部と後頭部の各収納ポケットのサイズが違うため冷却ポイントの選択ができなかった。また、保冷具の挿入口が上部のため固定感がなく、冷却具は帽子タイプのため子供から大人まで幅広く利用できない構造であった。（実開文献１）
【特許文献１】実開昭５１−４５２９１
【発明の開示】
【発明が解決しようとする課題】
【０００３】
そのために次のような問題点があった。
冷却ポイントの選択ができないため、症状に関係なく頭部全体を冷却するようになる。
保冷具の挿入口が上部のため、固定感がなかった。
帽子タイプの頭部冷却具のため、子供から大人まで幅広く利用できず、普段の生活において支障があった。
本発明は、これらの問題点を解決するためになされたものである。
【課題を解決するための手段】
【０００４】
前頭部にあたる位置に設けた前頭部収納ポケットと、該前頭部収納ポケットにバンド部で接続し、後頭部にあたる位置に設けた後頭部収納ポケットと、該後頭部収納ポケットに連結手段にて連結した頚椎上部にあたる位置に設けた頚椎上部収納ポケットと該頚椎上部収納ポケットに連結手段にて連結した頚椎部にあたる位置に設けた頚椎部収納ポケットと頚椎部収納ポケットを首に係止する係止バンドで構成し、各収納ポケットは挿入口を斜めにしたことが特徴とした保冷具を収納するものである頭部用冷却具。
【発明の効果】
【０００５】
発熱のとき、前頭部、後頭部、頚椎上部、頚椎部の4箇所を固定しているので、確実に
局部を解熱できる点と同様に固定しているために、従来の頭部用冷却具より短時間で解
熱できる。
各収納ポケットは同一サイズであり、冷却ポイントの選択化のため、症状にあわせて最大１０通りの使い方ができる。
保冷具の挿入口は横（側面）であり、完全に収納できるように下生地で冷却具を押さえ、上生地で下生地を覆うように重ねあう構造であり、さらに挿入口は斜め構造であるため、容易に保冷具が出にくい構造である。
通気性伸縮素材や係止バンドにより調整自在であり、誰でもフィットする。また寝返り
等の動きでも、確実に局部を解熱できる。
頚椎部から首に係止するための係止バンドを設けているが、後頭部と頚椎上部と頚椎部が縫合されているため、首を係止バンドで止めなくても頭部の冷却ができる構造である。
【発明を実施するための最良の形態】
【０００６】
以下、本発明の実施の形態を説明する。
本発明において、頭部用冷却具本体（１）は、前頭部の収納ポケット（５ａ）、後頭部
の収納ポケット（５ｂ）、頚椎上部の収納ポケット（５ｃ）、頚椎部の収納ポケット（５
ｄ）を設けている。
各収納ポケット（５ａ、５ｂ、５ｃ、５ｄ）は同一サイズであり、ジェル状等の冷却剤を収納できるものである。
各収納ポケット（５ａ、５ｂ、５ｃ、５ｄ）は、係止バンド、連結部にて連結されている。
各収納ポケット（５ａ、５ｂ、５c、５d）の挿入口は横（側面）であり、完全に収納できるように下生地で冷却具を押さえ、上生地で下生地を覆うように重ねあう構造にしてある。
さらに挿入口は斜め構造にして、装着しているとき、保冷具が出にくい構造にしてある。
利便性を考え挿入口を大きくすることで、保冷具を入れやすい構造やまた、挿入口は斜め構造であるが、角度や位置については特に限定はしない。
各収納ポケット（５ａ、５ｂ、５c、５d）は上生地で保冷具を押さえ、下生地で上生地を覆うように重ねあう構造でもよい。
各収納ポケット（５ａ、５ｂ、５ｃ、５ｄ）は、通気性伸縮素材で出来ている。
前頭部から後頭部にかけて装着できるように左右のバンド部（２）で前頭部の収納ポケ
ット（５ａ）と後頭部の収納ポケット（５ｂ）が連結されている。
後頭部の収納ポケット（５ｂ）の下部と頚椎上部の収納ポケット（５ｃ）の上部が縫合
により連結されている。
頚椎上部の収納ポケット（５ｃ）の下部と頚椎部の収納ポケット（５ｄ）の上部が縫合
により連結されている。
また、頚椎部の収納ポケット（５ｄ）の左右から係止バンドが設けられている。
前頭部から後頭部にかけて装着することができるように形成されたバンド部（２）はゴ
ム性マジック係止バンドにしてもよい。
【０００７】
本発明は、以上のような構成で、これを使用するときは、頭部用冷却具本体（１）の収納
ポケット（５ａ、５ｂ、５ｃ、５ｄ）の各部に保冷具やジェル状の保冷剤を入れて頭部に
かけて装着する。
発熱の症状にあわせて、選択した収納ポケット（５ａ、５ｂ、５ｃ、５ｄ）に保冷具等を
入れることにより、ポイントを絞って局部を解熱できる。
保冷具やジェル状の保冷剤の効力がなくなれば、あらたな保冷具等をセットし熱が下がるまで頭部用冷却具本体（１）を使用する。
【０００８】
これを図１と図２を利用して具体的に説明する。
風邪等で発熱や疲労、夏の寝苦しい時や入浴時に頭部や頚椎部の冷却目的として使用する。
冷えた保冷具やジェル状の冷却剤を用意し、収納ポケット（５ａ、５ｂ、５ｃ、５ｄ）を
選択しセット後、頭部用冷却具本体（１）を頭部にかけて装着する。
今までの氷枕等の冷却具では、動いたりすると局部を解熱させることができなかったが、
頭部用冷却具本体（１）を利用すると局部に固定されているため確実に解熱でき、さらに
従来の冷却具より短時間で解熱できる。
保冷具やジェル状の冷却剤の効力がなくなれば、あらたな頭部用冷却具本体（１）を交換
すればいい。
解熱が終えれば、頭部に装着していた頭部用冷却具本体（１）をはずし、目的を終える。
【０００９】
以下、本発明の第２実施の形態を図３、図４を利用して説明する。
本発明において、頭部用冷却具本体（１）は、前記事例から頚椎上部の収納ポケット（５ｃ）を省いたものであり、構成は前記事例通りである。
【００１０】
本発明は、以上のような構成で、これを使用するときは、頭部用冷却具本体（１）の収
納ポケット（５ａ、５ｂ、５ｄ）の各部に保冷具やジェル状の冷却剤を入れて頭部にかけ
て装着する。
保冷具やジェル状の保冷剤の効力がなくなれば、あらたな保冷具等をセットし、熱が下がるまで頭部用冷却具本体（１）を使用する。
【００１１】
なお、各事例は大人用として説明したが、子供用も同様に仕様したものでもよい。
【００１２】
本事例は頭部を冷やす目的で説明したが、冬の季節（寒い時期）にカイロ（商品名）を
入れて保温用として、また熱射病、日射病対策として選択した収納ポケット（５ａ、５ｂ、５ｃ、５ｄ）を使い分けて同様に仕様したものでもよい。
また、入浴目的とした防水性素材を仕様したものでもよい。
また、各収納ポケット間においてバンドやあて部利用の連結、縫合連結のどちらでもよい。
【図面の簡単な説明】
【００１３】
【図１】本発明の斜め前方図
【図２】本発明の側面図
【図３】本発明の斜め前方図
【図４】本発明の側面図
【図５】本発明の単体図
【図６】本発明の挿入口の要部を拡大した説明図
【符号の説明】
【００１４】
１  頭部用冷却具本体
２  バンド部
３  連結部
４  係止バンド
５ａ、５ｂ、５ｃ、５ｄ  収納ポケット
６  保冷具の挿入口
７  マジックテープ（登録商標）
【図１】
2008104694.tif 000003
【図２】
2008104694.tif 000004
【図３】
2008104694.tif 000005
【図４】
2008104694.tif 000006
【図５】
2008104694.tif 000007
【図６】
2008104694.tif 000008